(57)【特許請求の範囲】
【請求項１】
検索条件に合致するファイル及びフォルダの少なくともいずれか１つを検索し、その検索により得られたファイル及びフォルダのメタデータを格納する検索フォルダを生成し管理することができるファイルシステムにおける各ファイル及びフォルダのメタデータをリスト表示する情報処理装置であって、
表示対象のフォルダが検索フォルダであるか否かを判断する判断手段と、
前記表示対象のフォルダが検索フォルダである場合には、該検索フォルダの検索条件が設定されているメタデータ項目の欄に当該検索条件を表示する表示制御手段と、
を有することを特徴とする情報処理装置。
【請求項２】
前記表示制御手段を動作させるか否かをユーザに選択させるための選択手段を更に有し、
ユーザが前記選択手段を介して前記表示制御手段を動作させることを選択した場合に、前記表示制御手段が動作することを特徴とする請求項１に記載の情報処理装置。
【請求項３】
前記選択手段は、表示されるファイル及びフォルダ毎に設けられることを特徴とする請求項２に記載の情報処理装置。
【請求項４】
前記選択手段は、表示されるメタデータ項目毎に設けられることを特徴とする請求項２に記載の情報処理装置。
【請求項５】
前記表示制御手段は、前記表示対象のフォルダが検索フォルダである場合には、更に、当該検索フォルダについて、その検索条件が設定されているメタデータ項目が表示対象とされていないとき、又は、その検索条件に論理和が含まれているときは、当該検索フォルダにその旨を示す表示を行うことを特徴とする請求項１から４までのいずれか１項に記載の情報処理装置。
【請求項６】
前記表示制御手段は、前記表示対象のフォルダが検索フォルダである場合には、その検索条件が設定されているメタデータ項目の欄に当該検索条件を表示するとともに、前記検索条件が設定されていないメタデータ項目の欄には当該検索フォルダのメタデータを表示することを特徴とする請求項１から５までのいずれか１項に記載の情報処理装置。
【請求項７】
前記表示制御手段は、前記表示対象のフォルダが検索フォルダである場合には、その検索条件が設定されているメタデータ項目の欄に、当該検索条件を、メタデータとともに表示することを特徴とする請求項１から６までのいずれか１項に記載の情報処理装置。
【請求項８】
前記表示制御手段は、前記表示対象のフォルダが検索フォルダである場合には、更に、ファイル及びフォルダの名前を示すメタデータ項目の欄に、当該検索フォルダの検索条件を、当該検索フォルダの名前とともに表示することを特徴とする請求項１から７までのいずれか１項に記載の情報処理装置。
【請求項９】
前記表示制御手段は、メタデータ項目の欄にそのメタデータの検索条件を表示する際には、該検索条件をメタデータとは区別可能な形式で表示することを特徴とする請求項１から８までのいずれか１項に記載の情報処理装置。
【請求項１０】
検索条件に合致するファイル及びフォルダの少なくともいずれか１つを検索し、その検索により得られたファイル及びフォルダのメタデータを格納する検索フォルダを生成し管理することができるファイルシステムにおける各ファイル及びフォルダのメタデータをリスト表示する情報処理装置の制御方法であって、
前記情報処理装置の判断手段が、表示対象のフォルダが検索フォルダであるか否かを判断する判断ステップと、
前記情報処理装置の表示制御手段が、前記表示対象のフォルダが検索フォルダである場合には、該検索フォルダの検索条件が設定されているメタデータ項目の欄に当該検索条件を表示する表示制御ステップと、
を有することを特徴とする情報処理装置の制御方法。
【請求項１１】
コンピュータを、請求項１乃至９のいずれか１項に記載の情報処理装置が有する各手段として機能させるためのプログラム。
【発明の詳細な説明】
【技術分野】
【０００１】
本発明は、ファイル操作のためのグラフィカルユーザインターフェース（以下「ＧＵＩ」という。）におけるデータ表示技術に関する。
【背景技術】
【０００２】
従来、電子データであるファイルを管理するファイルシステムでは、ファイル群をまとめて管理するためにフォルダという概念を設けている。ファイルシステムのＧＵＩは、複数のファイル及びフォルダを示すアイコンやそのメタデータを提示する形で提供される。
【０００３】
フォルダへのファイルの格納は従来、ユーザによって手動で行われてきたが、扱うファイル量の増大に伴い、自動化が求められるようになった。そこで用いられるのが、「検索フォルダ」である。検索フォルダとは、特定の検索条件に合致するファイル又はフォルダを自動で検索して集めたフォルダをいう。この検索フォルダには、検索したファイル又はフォルダの実体を配置するものもあるし、その代わりに、検索したファイル又はフォルダの情報（メタデータ）のみを格納してユーザにはあたかも実体を格納しているかのように見せるものもある。
【０００４】
この検索フォルダをユーザに提示する際には、検索条件が重要な情報となる。そこで、検索条件をフォルダの名称というメタデータとして提示する方法が提案されている（特許文献１、２参照）。
【０００５】
【特許文献１】特開２００６−０４８５２１公報
【特許文献２】特開２００２−０９９５５４公報
【発明の開示】
【発明が解決しようとする課題】
【０００６】
しかしながら、検索フォルダのフォルダ名として検索条件を提示する場合、フォルダ名が長くなりやすいという問題がある。検索条件をユーザが把握しやすい文字列形式で表現しようとすると長くなってしまうし、複数のメタデータに対して検索条件が設定されている場合にそれらを列挙することになった場合も、フォルダ名は長くなってしまう。検索フォルダや他のフォルダ、ファイルのメタデータを表形式で提示するような形式では、ひとつのフォルダ名が長くなってしまうと、それにつられてフォルダ名・ファイル名を表示する欄の表示領域が大きくなってしまう。これは、表示効率が悪くなることになる。
【０００７】
そこで本発明は、ファイル／フォルダの一覧表示中で検索フォルダの検索条件を効率よく表示するＧＵＩを提供することを目的とする。
【課題を解決するための手段】
【０００８】
本発明の一側面によれば、検索条件に合致するファイル及びフォルダの少なくともいずれか１つを検索し、その検索により得られたファイル及びフォルダのメタデータを格納する検索フォルダを生成し管理することができるファイルシステムにおける各ファイル及びフォルダのメタデータをリスト表示する情報処理装置であって、表示対象のフォルダが検索フォルダであるか否かを判断する判断手段と、前記表示対象のフォルダが検索フォルダである場合には、該検索フォルダの検索条件が設定されているメタデータ項目の欄に当該検索条件を表示する表示制御手段とを有することを特徴とする情報処理装置が提供される。
【発明の効果】
【０００９】
本発明によれば、ファイル／フォルダの一覧表示中で、検索フォルダの検索条件を効率よく表示できる。
【発明を実施するための最良の形態】
【００１０】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決手段として必須のものであるとは限らない。
【００１１】
＜実施形態１＞
本発明を適用したファイルシステムについて説明する。
【００１２】
なお、ファイルシステムはＯＳ（Operating System）に依存するものであるが、ファイルシステムが階層構造をなすものであるかぎり、本発明が特定のＯＳに限定されるものではない。階層構造の途中のノードは一般に「ディレクトリ」と呼ばれ、ＧＵＩ上では０以上のファイルを収めた「フォルダ」のかたちで表示される。広義には「フォルダ」もファイルの一種であるが、以下では、ＧＵＩ上で区別して表示されることに合わせて、「フォルダ」と「ファイル」を区別し、「ファイル及びフォルダの少なくともいずれか一方」のことを「ファイル／フォルダ」と記す。
【００１３】
図１は、本実施形態によりユーザに提示されるファイルシステムのＧＵＩの画面の一例を示す図である。このＧＵＩは大きく２つの領域に分かれており、左側がフォルダの階層構造を表示するためのツリービュー１０１、右側が指定フォルダ以下のファイル／フォルダのメタデータをリスト表示するリストビュー１０２である。リストはアイコンとメタデータから構成されている。図１の場合、ツリービュー１０１で「プライベートコンテンツ」フォルダが選択されており、リストビュー１０２で表示されているリストは、選択された「プライベートコンテンツ」フォルダ中のファイル／フォルダのリストである。
【００１４】
図１において、リストビュー１０２には３つのフォルダと２つのファイルが表示されている。フォルダには、検索フォルダと、検索フォルダではない通常フォルダがある。上述したように、検索フォルダは、特定の検索条件に合致するファイル／フォルダを自動で検索し、検索されたファイル／フォルダの情報（メタデータ）を格納したものである。このとき検索フォルダには検索されたファイル／フォルダの実体もあわせて格納してもよい。すなわち、本実施形態における情報処理装置において実現されるファイルシステムは、検索フォルダを生成し管理することができるように構成されている。そして、情報処理装置はそのような検索フォルダを含むフォルダやファイルのメタデータをリスト表示することが可能である。
【００１５】
図１のリストビュー１０２の一番上が「ＡＬＬ」というフォルダ名の通常フォルダ１０４である。その下が「２００５運動会」というフォルダ名の検索フォルダ１０５である。その下が「２００５夏の旅行」というフォルダ名の検索フォルダ１０６である。その下が「未整理．ａｖｉ」というファイル名のファイル１０７である。一番下が「未整理．ｊｐｇ」というファイルのファイル１０８である。フォルダ１０４、ファイル１０７、ファイル１０８にはそれぞれ、そのフォルダ又はファイルのメタデータが表示されている。
【００１６】
１０３はリストビュー１０２に表示される検索フォルダに関して、検索条件を表示するかメタデータを表示するかを選択するための検索条件表示モード切り替えボタンである。図１ではこの検索条件表示モード切り替えボタン１０３が押下されており、検索フォルダは検索条件を表示する状態になっている。この検索条件表示モード切り替えボタン１０３がＯＦＦ、すなわち押下されていない状態の場合には、検索フォルダについての検索条件の表示は動作せず、検索フォルダについても通常どおりメタデータが表示される。
【００１７】
検索フォルダ１０５、１０６にはそれぞれ、各検索フォルダに設定されている検索条件が表示されている。検索条件は例えば括弧でくくった形式で表示され、メタデータと区別可能になっている。検索フォルダ１０５に設定されている検索条件は、「作成日時が２００５／１０／１０で、かつ、種類が動画であるもの」である。作成日時のメタデータを表示する欄には、作成日時に関する検索条件である「２００５／１０／１０」が表示され、種類のメタデータを表示する欄には、種類に関する検索条件である「動画」が表示されている。検索フォルダ１０６に設定されている検索条件は、「名前」が旅行で始まり、かつ作成日時が２００５／８／１５〜８／１８であるもの」である。名前のメタデータを表示する欄には、検索フォルダ１０６の名前である「２００５夏の旅行」と、名前に関する検索条件である「旅行＊」が表示されている。作成日時のメタデータを表示する欄には、作成日時に関する検索条件である「２００５／８／１５〜８／１８」が表示されている。種類のメタデータを表示する欄には何も表示されていない。
【００１８】
図２は、本実施形態によりユーザに提示されるファイルシステムのＧＵＩの別の画面の例を示す図である。図１は検索条件表示モード切り替えボタン１０３が押された状態にあるときの画面である一方、図２は検索条件表示モード切り替えボタン１０３が押されていない状態にあるときの画面である。リストビュー１０２中の検索フォルダ１０５、検索フォルダ１０６の表示内容が変わっており、図２では各検索フォルダのメタデータが表示されている。
【００１９】
図３は、本実施形態における、上記のファイルシステムを実現するコンピュータ装置（情報処理装置）の構成図である。３０１はコンピュータ装置３００全体を制御するCentral Processing Unit（ＣＰＵ）である。３０２は変更を必要としないプログラムやパラメータを格納するRead Only Memory（ＲＯＭ）である。３０３は外部記憶装置などから供給されるプログラムやデータを一時記憶するRandom Access Memory（ＲＡＭ）である。３０４はハードディスク装置等の外部記憶装置である。３０５はユーザの操作を受け、データを入力するポインティングデバイス／キーボード３０９などの入力デバイスとのインターフェイスである。３０６はコンピュータ装置３００の保持するデータや供給されたデータを表示するためのモニタ３１０とのインターフェイスである。３０７はインターネットなどのネットワーク回線に接続するためのネットワークインタフェイスである。３０８は３０１〜３０７の各ユニットを通信可能に接続するシステムバスである。
【００２０】
本実施形態では、本発明を適用した表示制御を実現するためのファイルシステムプログラムが外部記憶装置３０４に格納されており、ＣＰＵ３０１により実行される。ファイルシステムプログラムはＯＳに含まれていてもよい。ユーザには、モニタ３１０を通して図１、２のような表示がなされ、ユーザはポインティングデバイス／キーボード３０９を用いファイル操作を行うことができる。
【００２１】
図４は、ユーザが任意のフォルダ中のファイル／フォルダのリストを表示させようとした際の表示処理のフローチャートである。具体的には、このフローは、ユーザがツリービュー１０１でフォルダを選択した際にリストビュー１０２に表示する内容を決定する方法を示している。
【００２２】
まず、表示対象の全てのファイル／フォルダを処理するまで続くループ１を開始する（ステップＳ４０１）。例えば、図１、図２では、「プライベートコンテンツ」フォルダ内のフォルダ、ファイルが処理対象である。このループ１は、ファイル／フォルダ毎の処理を行うループである。ループでは最初に、リストの表示モードが検索条件表示モードか否かを判定する（ステップＳ４０２）。この判定は検索条件表示モード切り替えボタン１０３の状態に基づき行われる。具体的には、検索条件表示モード切り替えボタン１０３がＯＮ（押下された状態）であれば検索条件表示モードと判定する。
【００２３】
検索条件表示モードであった場合には、表示しようとしているものが検索フォルダなのかそれ以外なのかを判定する（ステップＳ４０３）。ステップＳ４０２で検索条件表示モードではないと判定された場合、又はステップＳ４０３で検索フォルダではないと判定された場合は、メタデータを表示する処理を行う。この場合、まず、表示する全てのメタデータの処理を行うまで繰り返すループ２を開始する（ステップＳ４０４）。このループ２は、メタデータ毎の処理を行うループである。次に、メタデータの値を表示する（ステップＳ４０５）。図１の通常フォルダ１０４、ファイル１０７、ファイル１０８、図２のフォルダ、ファイルの全メタデータは、このステップＳ４０５の処理によって表示されるものである。全てのメタデータに対してステップＳ４０５の処理が完了すると、ステップＳ４０４のループ２を抜ける（ステップＳ４０６）。
【００２４】
ステップＳ４０３で、表示しようとしているものが検索フォルダの場合は、検索フォルダの検索条件全体を調べて、検索条件が表示可能かどうかを判断する（ステップＳ４０７）。検索条件が表示可能かどうかは、例えば、検索条件が設定されているメタデータ項目で画面に表示しない項目がないか、また各メタデータ項目に対する検索条件間の検索条件の組み合わせが論理積以外で組み合わせられていないかということから判断する。基本の表示は各メタデータ項目に対する検索条件間の検索条件の組み合わせが論理積のみで構成されている場合を表現するものとする。検索条件が設定されているメタデータ項目で画面に表示しない項目があったり、各メタデータ項目に対する検索条件間の検索条件の組み合わせに論理積以外が含まれていたりした場合は、検索条件が表示不可能であると判断する。
【００２５】
ステップＳ４０７で検索条件が表示不可能と判断された場合は、その旨を示す所定の注意マークを表示する（ステップＳ４１０）。図５の例を参照すると、検索フォルダ５０１、検索フォルダ５０２に、ステップＳ４１０の処理で注意マーク５０３が与えられている。検索フォルダ５０１の検索条件は「ジャンルがジャズ、又は、アーティストがベートーベンのもの」であるとする。するとこの場合、ジャンルとアーティストのメタデータ項目間の検索条件が論理和であるため、検索条件を正しく表示できていないことを知らせるために、注意マーク５０３が表示される。また、検索フォルダ５０２の検索条件は「再生時間が１分間を下回るもの」であるとする。この場合、再生時間というメタデータ項目は表示対象となっていないので、やはり注意マーク５０３が表示される。一方、検索フォルダ５０４の検索条件は「アーティストがモーツァルト又はシューベルトのもの」というもので、検索条件に論理和が含まれるが、これは１つのメタデータに対する論理和である。そのため、ステップＳ４０７では、論理積のみで構成されているという判断がなされる。
【００２６】
１つのメタデータに対する検索条件は、検索フォルダ５０４のように、そのメタデータの欄に列挙される。ステップＳ４０７で検索条件が表示可能と判断された場合、又は、ステップＳ４１０の後、１つのファイル又はフォルダの全てのメタデータを処理するまで続くループ３を開始する（ステップＳ４１１）。このループ３は、メタデータ毎の処理を行うループである。
【００２７】
このループ３では、まず処理対象となっているメタデータが「名前」か否かを判断する（ステップＳ４１２）。ステップＳ４１２で、対象のメタデータが「名前」であった場合には、そのメタデータの値及び検索条件を表示する（ステップＳ４１３）。検索条件は図１に示したように括弧でくくって表示する。ステップＳ４１２で、メタデータが「名前」でなかった場合には、処理対象のメタデータに対する検索条件が設定されているかを判断する（ステップＳ４１４）。処理対象となっているメタデータに対して検索条件が設定されている場合は、対象のメタデータに対する検索条件を表示する（ステップＳ４１５）。一方、処理対象のメタデータに検索条件が設定されていなかった場合には、何も表示しない（ステップＳ４１６）。図１の検索フォルダ１０６の種類のメタデータ欄に何も表示されていないのは、このステップＳ４１６の処理による。ステップＳ４１３、Ｓ４１５、Ｓ４１６の表示処理が終わると、ステップＳ４１１で開始したループ３を抜ける（ステップＳ４１７）。ステップＳ４１７又はステップＳ４０６の後は、ステップＳ４０１で開始したループ１を終了する（ステップＳ４１８）。
【００２８】
以上が表示処理のフローチャートである。
【００２９】
＜実施形態２＞
上述の実施形態１では、検索条件表示モード切り替えボタン１０３の状態に応じて、全てのメタデータについて検索条件を表示するかメタデータを表示するかを決めていた。この代わりに、図６に示すように、検索条件表示モード切り替えボタン６０１を検索フォルダ毎に持たせて、検索フォルダ毎に検索条件表示モードの設定／解除を行える構成とすることも可能である。
【００３０】
この場合、コンピュータ装置の構成は実施形態１と同じく図３で表される。ユーザが任意のフォルダ中のファイル／フォルダのリストを表示させようとした際のフローチャートも、やはり実施形態１と同じく図４で表される。ただし、実施形態１の場合と異なり、検索条件表示モードであるかを判定するステップＳ４０２では、検索フォルダ毎の検索条件表示モード切り替えボタン６０１の押下状態を確認することになる。
【００３１】
＜実施形態３＞
上述の実施形態１では、検索条件表示モード切り替えボタン１０３の状態に応じて、全てのメタデータについて検索条件を表示するかメタデータを表示するかを決めていた。この代わりに、図７に示すように、検索条件表示モード切り替えボタン７０１をメタデータ項目毎に持たせて、メタデータ項目毎に検索条件表示モードの設定／解除を行える構成とすることも可能である。
【００３２】
この場合、コンピュータ装置の構成は実施形態１と同じく図３で表される。ユーザが任意のフォルダ中のファイル／フォルダのリストを表示させようとした際のフローチャートは、図８で表される。図４のフローチャートとの相違点は、検索条件表示モードか否かを判定するステップＳ４０２に相当するステップＳ８０１がステップＳ４１１で始まるループ３内で行われる点である。このステップＳ８０１において検索条件表示モードではないと判定された場合には、対象メタデータの値を表示する（ステップＳ８０２）。検索条件表示モードか否かの判定は、メタデータ項目毎の検索条件表示モード切り替えボタン７０１の状態に基づいて行われる。具体的には、検索条件表示モード切り替えボタン７０１がＯＮ（押下された状態）であれば当該メタデータ項目については検索条件表示モードと判定する。
【００３３】
＜実施形態４＞
上述の実施形態１では、検索条件を表示する際、該当するメタデータに検索条件が設定されていなければ、何も表示しなかった。この代わりに、図９に示すように、表示する検索条件が無い場合にはメタデータを表示するようにしてもよい。検索条件表示モードの切り替え方法は実施形態１と同じでよい。図９において、検索フォルダ９０１はメタデータ「種類」に関する検索条件がないため、「種類」欄には、検索フォルダ自身のメタデータが表示される。
【００３４】
この場合、コンピュータ装置の構成は実施形態１と同じく図３で表される。ユーザが任意のフォルダ中のファイル／フォルダのリストを表示させようとした際のフローチャートは、図１０で表される。図４との違いは、何も表示しないとするステップＳ４１６に代えて、対象メタデータの値を表示するステップＳ１００１を実行する点である。
【００３５】
＜実施形態５＞
上述の実施形態１では、名前のメタデータのみ検索条件とメタデータの値を併記するようにしたが、図１１に示すように、全てのメタデータを併記するようにしてもよい。
【００３６】
この場合、コンピュータ装置の構成は実施形態１と同じく図３で表される。ユーザが任意のフォルダ中のファイル／フォルダのリストを表示させようとした際のフローチャートは、図１２で表される。図４との違いは次のとおりである。まず、対象メタデータが「名前」かどうかを判断するステップＳ４１２と、対象メタデータ「名前」の値及びそれに対する検索条件を表示するステップＳ４１３がなくなっている。そして、ステップＳ４１４で、対象メタデータに検索条件が設定されていると判断された場合は、ステップＳ４１５に代えて、対象メタデータの値とそれに対する検索条件を表示するステップＳ１２０１が実行される。
【００３７】
＜他の実施形態＞
以上、本発明の実施形態を詳述したが、本発明は、複数の機器から構成されるシステムに適用してもよいし、また、一つの機器からなる装置に適用してもよい。
【００３８】
なお、本発明は、前述した実施形態の各機能を実現するプログラムを、システム又は装置に直接又は遠隔から供給し、そのシステム又は装置に含まれるコンピュータがその供給されたプログラムコードを読み出して実行することによっても達成される。
【００３９】
したがって、本発明の機能・処理をコンピュータで実現するために、そのコンピュータにインストールされるプログラムコード自体も本発明を実現するものである。つまり、上記機能・処理を実現するためのコンピュータプログラム自体も本発明の一つである。
【００４０】
その場合、プログラムの機能を有していれば、オブジェクトコード、インタプリタにより実行されるプログラム、ＯＳに供給するスクリプトデータ等、プログラムの形態を問わない。
【００４１】
プログラムを供給するためのコンピュータ読み取り可能な記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、記録媒体としては、磁気テープ、不揮発性のメモリカード、ＲＯＭ、ＤＶＤ（ＤＶＤ−ＲＯＭ，ＤＶＤ−Ｒ）などもある。
【００４２】
また、プログラムは、クライアントコンピュータのブラウザを用いてインターネットのホームページからダウンロードしてもよい。すなわち、ホームページから本発明のコンピュータプログラムそのもの、もしくは圧縮され自動インストール機能を含むファイルをハードディスク等の記録媒体にダウンロードしてもよい。また、本発明のプログラムを構成するプログラムコードを複数のファイルに分割し、それぞれのファイルを異なるホームページからダウンロードする形態も考えられる。つまり、本発明の機能・処理をコンピュータで実現するためのプログラムファイルを複数のユーザに対してダウンロードさせるＷＷＷサーバも、本発明の構成要件となる場合がある。
【００４３】
また、本発明のプログラムを暗号化してコンピュータ読み取り可能なＣＤ−ＲＯＭ等のコンピュータ読み取り可能な記憶媒体に格納してユーザに配布してもよい。この場合、所定条件をクリアしたユーザにのみ、インターネットを介してホームページから暗号化を解く鍵情報をダウンロードさせ、その鍵情報で暗号化されたプログラムを復号して実行し、プログラムをコンピュータにインストールしてもよい。
【００４４】
また、コンピュータが、読み出したプログラムを実行することによって、前述した実施形態の機能が実現されてもよい。なお、そのプログラムの指示に基づき、コンピュータ上で稼動しているＯＳなどが、実際の処理の一部又は全部を行ってもよい。もちろん、この場合も、前述した実施形態の機能が実現され得る。
【００４５】
さらに、記録媒体から読み出されたプログラムが、コンピュータに挿入された機能拡張ボードやコンピュータに接続された機能拡張ユニットに備わるメモリに書き込まれてもよい。そのプログラムの指示に基づき、その機能拡張ボードや機能拡張ユニットに備わるＣＰＵなどが実際の処理の一部又は全部を行ってもよい。このようにして、前述した実施形態の機能が実現されることもある。
【図面の簡単な説明】
【００４６】
【図１】実施形態１におけるＧＵＩの画面（検索条件表示）の例を示す図である。
【図２】実施形態１におけるＧＵＩの画面（メタデータ表示）の例を示す図である。
【図３】実施形態におけるコンピュータ装置の構成図である。
【図４】実施形態１における表示処理のフローチャートである。
【図５】実施形態１におけるＧＵＩの画面例（複雑な検索条件表示）を示す図である。
【図６】実施形態２におけるＧＵＩの画面例を示す図である。
【図７】実施形態３におけるＧＵＩの画面例を示す図である。
【図８】実施形態３における表示処理のフローチャートである。
【図９】実施形態４におけるＧＵＩの画面例を示す図である。
【図１０】実施形態４における表示処理のフローチャートである。
【図１１】実施形態５におけるＧＵＩの画面例を示す図である。
【図１２】実施形態５における表示処理のフローチャートである。
【符号の説明】
【００４７】
１０１  ツリービュー
１０２  リストビュー
１０３  検索条件表示モード切り替えボタン
１０４  通常フォルダ
１０５  検索フォルダ
１０６  検索フォルダ
１０７  ファイル
１０８  ファイル
【図１】
0004909211.tif 000002
【図２】
0004909211.tif 000003
【図３】
0004909211.tif 000004
【図４】
0004909211.tif 000005
【図５】
0004909211.tif 000006
【図６】
0004909211.tif 000007
【図７】
0004909211.tif 000008
【図８】
0004909211.tif 000009
【図９】
0004909211.tif 000010
【図１０】
0004909211.tif 000011
【図１１】
0004909211.tif 000012
【図１２】
0004909211.tif 000013